(57)【要約】【課題】任意の複数の年表からなる、任意の用途に使用できるマルチ年表を容易に得ることができるとともに、一部年表の入れ替え、各年表の並べ替え、各年表の表示幅の変更などを自在に行うことができ、各年表を見やすいものや使いやすいものに編集し、様々に楽しむことができるようにする。【解決手段】装置の制御手段は、Ｗｅｂサイトにアクセスして、年表作成用画面３０を表示する。ユーザが表示メニュー選択部３１で時間軸および複数の年表を順次選択すると、制御手段は、年表作成領域４０の左辺部に時間軸４１を表示し、それぞれの年表１，２，３を年表作成領域４０中の領域４２，４３，４４に順次配置して、年表作成領域４０に縦表示・横並びのマルチ年表を作成する。作成されたマルチ年表は、一部年表の入れ替えや各年表の並べ替えなどの編集をすることができる。横表示・縦並びのマルチ年表を作成することもできる。【選択図】図６
2008040815.tif 000002
【特許請求の範囲】
【請求項１】
ある期間に係る事項を時間軸上のそれぞれの事項に対応する期間位置に示したテーブルを作成する方法であって、
テーブル作成領域が設けられたテーブル作成用画面を表示する工程と、
外部ネットワーク上または記憶装置から、選択指示された複数のテーブルを取得する工程と、
その取得された複数のテーブルを、前記テーブル作成領域に、前記テーブル作成用画面の横方向または縦方向に並べて配置する工程と、
を備えることを特徴とするテーブル作成方法。
【請求項２】
請求項１のテーブル作成方法において、
前記テーブル作成領域に配置された複数のテーブルを並べ替えることを特徴とするテーブル作成方法。
【請求項３】
請求項１のテーブル作成方法において、
前記テーブル作成領域に配置された一部または全部のテーブルに替えて、別途取得されたテーブルを前記テーブル作成領域に配置することを特徴とするテーブル作成方法。
【請求項４】
請求項１のテーブル作成方法において、
前記テーブル作成領域に配置された複数のテーブルの並び状態を、前記横方向に並ぶ横並び状態と前記縦方向に並ぶ縦並び状態との間で変更することを特徴とするテーブル作成方法。
【請求項５】
請求項１のテーブル作成方法において、
前記テーブル作成領域に配置可能なテーブルの数を、設定または変更できることを特徴とするテーブル作成方法。
【請求項６】
請求項１のテーブル作成方法において、
前記テーブル作成領域における各テーブルの表示幅を、設定または変更できることを特徴とするテーブル作成方法。
【請求項７】
請求項１のテーブル作成方法において、
前記テーブル作成領域に配置される複数のテーブルの少なくとも一部は、コンテンツに関するものとすることを特徴とするテーブル作成方法。
【請求項８】
ある期間に係る事項を時間軸上のそれぞれの事項に対応する期間位置に示したテーブルを作成する情報処理装置であって、
操作入力手段と、
この操作入力手段による操作に応じて、テーブル作成領域が設けられたテーブル作成用画面を表示する処理手段と、
外部ネットワーク上または記憶装置から、前記操作入力手段によって選択指示された複数のテーブルを取得し、その取得された複数のテーブルを、前記テーブル作成領域に、前記テーブル作成用画面の横方向または縦方向に並べて配置する制御手段と、
を備えることを特徴とする情報処理装置。
【請求項９】
請求項８の情報処理装置において、
前記制御手段は、前記操作入力手段による操作に応じて、前記テーブル作成領域に配置された複数のテーブルを並べ替えることを特徴とする情報処理装置。
【請求項１０】
請求項８の情報処理装置において、
前記制御手段は、前記操作入力手段による操作に応じて、前記テーブル作成領域に配置された一部または全部のテーブルに替えて、別途取得されたテーブルを前記テーブル作成領域に配置することを特徴とする情報処理装置。
【請求項１１】
請求項８の情報処理装置において、
前記制御手段は、前記操作入力手段による操作に応じて、前記テーブル作成領域に配置された複数のテーブルの並び状態を、前記横方向に並ぶ横並び状態と前記縦方向に並ぶ縦並び状態との間で変更することを特徴とする情報処理装置。
【請求項１２】
請求項８の情報処理装置において、
前記制御手段は、前記操作入力手段による操作に応じて、前記テーブル作成領域に配置可能なテーブルの数を設定または変更することを特徴とする情報処理装置。
【請求項１３】
請求項８の情報処理装置において、
前記制御手段は、前記操作入力手段による操作に応じて、前記テーブル作成領域における各テーブルの表示幅を設定または変更することを特徴とする情報処理装置。
【請求項１４】
ある期間に係る事項を時間軸上のそれぞれの事項に対応する期間位置に示したテーブルを作成するためにコンピュータを、
テーブル作成領域が設けられたテーブル作成用画面を表示する処理手段、および、
外部ネットワーク上または記憶装置から、選択指示された複数のテーブルを取得し、その取得された複数のテーブルを、前記テーブル作成領域に、前記テーブル作成用画面の横方向または縦方向に並べて配置する制御手段、
として機能させるテーブル作成用プログラム。
【発明の詳細な説明】
【技術分野】
【０００１】
この発明は、年表などのような、ある期間に係る事項を時間軸上のそれぞれの事項に対応する期間位置に示したテーブルを作成する方法およびシステムに関する。
【背景技術】
【０００２】
歴史的または履歴的な事項を、年表データとして記述し、年表形式で表示することが考えられており、日本史と世界史、社会的な背景と会社の歴史、などを対照年表として表示することも考えられている。
【０００３】
例えば、特許文献１（特開平１１−２４９６４０号公報）には、日時データと事象データとの対からなる年表データによって、ユーザの誕生から今に至るまでの履歴を、０歳から４歳までの期間、５歳から９歳までの期間、１０歳から１４歳までの期間、というような数年ごとの期間に分けて、表示することが示されている。
【０００４】
また、特許文献２（特開２００１−２９０９１３号公報）には、基礎資料の中から必要な情報を抽出して記事データを作成し、記事データベースに登録するとともに、その記事データをもとに素年表を作成し、その素年表をもとに各記事に仮目次コードを付して仮目次を作成し、その仮目次コードによって記事データベースから記事データを抽出して、本文原稿のスタイルに変更し、さらに記事データベースから本文原稿に対応する写真や図表を抽出して、ビジュアル原稿を作成する、という一連の工程を経て、年史を制作することが示されている。
【０００５】
さらに、特許文献３（特開平１１−６６０４９号公報）には、ネットワークを介してユーザ端末と接続されるサーバにおいて、ユーザ端末から年表表示要求があったとき、個人イベントデータベースから要求元の個人履歴情報を読み取り、歴史イベントデータベースから歴史情報を読み取って、両者を対応させて配置した年表を表示するためのデータを生成し、要求元のユーザ端末に送信することが示されている。
【０００６】
上に挙げた先行技術文献は、以下の通りである。
【特許文献１】特開平１１−２４９６４０号公報
【特許文献２】特開２００１−２９０９１３号公報
【特許文献３】特開平１１−６６０４９号公報
【発明の開示】
【発明が解決しようとする課題】
【０００７】
しかしながら、特許文献１または特許文献２に示された方法では、個々の事象や記事のデータを作成した上で、全体的な年表データを作成するので、ユーザは、好みや必要に応じた年表を作成するのに、特に複数の年表を並べて配置したものを作成するのに、多大な操作や入力を必要とする。
【０００８】
特許文献３に示された方法でも、ユーザ個人の履歴と各ユーザに共通するような歴史とを対応させて配置した年表を作成し、表示することしかできず、ユーザの好みや必要に応じた年表を作成し、表示することはできない。
【０００９】
そこで、この発明は、任意の複数の年表からなる、任意の用途に使用できるマルチ年表を容易に得ることができるとともに、一部年表の入れ替え、各年表の並べ替え、各年表の表示幅の変更などを自在に行うことができ、各年表を見やすいものや使いやすいものに編集し、様々に楽しむことができるようにしたものである。
【課題を解決するための手段】
【００１０】
この発明のテーブル作成方法は、
ある期間に係る事項を時間軸上のそれぞれの事項に対応する期間位置に示したテーブルを作成する方法であって、
テーブル作成領域が設けられたテーブル作成用画面を表示する工程と、
外部ネットワーク上または記憶装置から、選択指示された複数のテーブルを取得する工程と、
その取得された複数のテーブルを、前記テーブル作成領域に、前記テーブル作成用画面の横方向または縦方向に並べて配置する工程と、
を備えることを特徴とする。
【００１１】
上記のテーブル作成方法では、テーブルが年表の場合、ユーザは、インターネット上などの外部ネットワーク上、またはローカルに存在する様々な年表から、任意の複数の年表を選択するだけで、任意の用途に使用できるマルチ年表を得ることができる。
【００１２】
しかも、マルチ年表を構成する複数の年表は、年表作成用画面の年表作成領域の、画面横方向または画面縦方向に区分される別個の領域に配置されるので、一部年表の入れ替え、各年表の並べ替え、各年表の表示幅の変更などを自在に行うことができ、各年表を見やすいものや使いやすいものに編集し、様々に楽しむことができる。
【発明の効果】
【００１３】
以上のように、この発明によれば、任意の複数の年表からなる、任意の用途に使用できるマルチ年表を容易に得ることができるとともに、一部年表の入れ替え、各年表の並べ替え、各年表の表示幅の変更などを自在に行うことができ、各年表を見やすいものや使いやすいものに編集し、様々に楽しむことができる。
【発明を実施するための最良の形態】
【００１４】
［１．システム構成：図１］
図１は、この発明の方法によってマルチ年表を作成するシステムの一例を示す。
【００１５】
この例のシステムでは、ユーザ側の情報処理装置１０がインターネット１００を介してサーバ９１に接続される。
【００１６】
情報処理装置１０は、情報を処理し、インターネット１００に接続する機能を備えるとともに、音楽データによって音楽を再生し、画像データによって画像を再生する機能を備えるものである。
【００１７】
具体的に、情報処理装置１０は、ＣＰＵ１１を備え、そのバス１２には、年表作成用プログラムを含む各種プログラム、および各種のコンテンツデータや年表データなどのデータが記録保存されるハードディスクなどの内部記憶装置１３、およびプログラムやデータが展開されるメインメモリ１４が接続される。
【００１８】
また、バス１２には、操作入力部１５が接続されるとともに、音声処理部１６を介して音声出力部１７が接続され、表示処理部１８を介してディスプレイ１９が接続される。
【００１９】
音声処理部１６は、音楽データなどの音声データを復号処理するものであり、音声出力部１７は、音声増幅回路およびスピーカ（ヘッドホン）であり、表示処理部１８は、画像データや画面データを復号処理するものであり、ディスプレイ１９は、画像や画面を表示する液晶ディスプレイや有機ＥＬディスプレイなどである。
【００２０】
さらに、バス１２には、外部のローカルストレージ２５と接続するための外部インタフェース２１、およびインターネット１００に接続するための外部ネットワークインタフェース２２が接続される。
【００２１】
ローカルストレージ２５には、各種のコンテンツデータや年表データなどのデータが記録保存され、ローカルストレージ２５から情報処理装置１０に、それらデータが取り込まれる。
【００２２】
サーバ９１は、Ｗｅｂサイト上のＷｅｂサービスとして、各種の年表やコンテンツなどを提供し、情報処理装置１０からの要求に応じて情報処理装置１０に、年表データやコンテンツデータなどのデータを送信するもので、これには、各種の年表データやコンテンツデータなどのデータが蓄積されるネットワークストレージ９２が接続される。
【００２３】
［２．年表作成方法：図２〜図２４］
図１の例のシステムでは、情報処理装置１０は、以下のように、縦表示・横並びのマルチ年表、または横表示・縦並びのマルチ年表を作成する。
【００２４】
縦表示・横並びのマルチ年表とは、図２〜図１０に示すように、時間軸を画面縦方向に表示し、年表の各事項も画面縦方向に配列し、複数の年表を画面横方向に並べたものであり、横表示・縦並びのマルチ年表とは、図１２〜図２４に示すように、時間軸を画面横方向に表示し、年表の各事項も画面横方向に配列し、複数の年表を画面縦方向に並べたものである。
【００２５】
個々の事項を示す文章や語句は、縦表示・横並びであるか、横表示・縦並びであるかにかかわらず、英語で記載する場合には、横書きで記述することが望ましく、日本語で記載する場合には、縦書きで記述することもできるが、同様に横書きで記述することが望ましい。
【００２６】
マルチ年表のもとになる年表データは、外部ネットワーク上に存在するものでも、ローカルに存在するものでもよいが、以下では、外部ネットワーク上に存在する年表データ、すなわち図１の例ではサーバ９１側のネットワークストレージ９２に記録されていてＷｅｂサイトで提供される年表データをもとに、マルチ年表を作成する場合を、主として示し、ローカルに存在する年表データ、すなわち図１の例では内部記憶装置１３またはローカルストレージ２５に記録されている年表データをもとに、マルチ年表を作成する場合については、他の実施形態として後述する。
【００２７】
以下では、マルチ年表の編集についても示すが、以下に示すところから明らかなように編集は作成の一工程である。
【００２８】
（２−１．縦表示・横並びのマルチ年表の作成：図２〜図９）
ユーザは、マルチ年表を作成しようとするときには、操作入力部１５での操作によって、Ｗｅｂブラウザを起動させ、上記のＷｅｂサイトにアクセスする。
【００２９】
これによって、縦表示・横並びのマルチ年表を作成する場合、ディスプレイ１９上には、例えば、図２に示すような年表作成用画面３０が表示される。
【００３０】
＜年表作成用画面の例：図２＞
具体的に、図２の例の年表作成用画面３０は、画面上部に、表示メニュー選択部３１を示し、その下に、時間軸設定部３２、期間指示部３３、表示幅指定部３４、高さ指定部３５およびＢＧＭ設定部３６を示し、その下に、年表作成領域４０を設けたものとする。
【００３１】
表示メニュー選択部３１は、プルダウンメニュー方式によって、時間軸または後述のような各種の年表中のいずれかを選択するものであり、時間軸設定部３２は、時間軸として“Ｄｅｃａｄｅ”，“Ｙｅａｒ”，“Ｍｏｎｔｈ”のいずれを表示するかを設定するものである。
【００３２】
期間指示部３３は、時間軸として表示される期間を指示または表示するものであり、表示幅指定部３４は、年表作成領域４０に作成される各年表の表示幅（画面横方向の幅）を指定するものであり、高さ指定部３５は、年表作成領域４０の高さ（画面縦方向の幅）を指定するものであり、ＢＧＭ設定部３６は、作成された年表にＢＧＭを付加するか否かを設定するものである。
【００３３】
表示幅指定部３４で特に表示幅を指定しないときには、例えば、後述のように年表作成領域４０に３つの年表を均等な表示幅で画面横方向に並べて作成できるようにされる。
【００３４】
年表作成領域４０の右側には、スクロールボタン４７，４８およびスクロールバー４９を設け、年表作成領域４０に作成された年表を画面縦方向にスクロールできるようにする。
【００３５】
表示メニュー選択部３１の上側には、各種操作のためのボタン群３７，３８および３９が表示され、ボタン群３７〜３９の上側には、Ｗｅｂサイトのアドレス（ＵＲＬ）などが表示される。
【００３６】
＜１年単位の場合：図３〜図７＞
ユーザは、まず、表示メニュー選択部３１で時間軸を選択し、時間軸設定部３２で“Ｄｅｃａｄｅ”，“Ｙｅａｒ”，“Ｍｏｎｔｈ”のいずれかを指示する。
【００３７】
“Ｙｅａｒ”が指示された場合、図３に示すように、年表作成領域４０の左辺部に、時間軸４１として暦年が表示される。ただし、図３は、年表作成領域４０内をスクロールした結果、時間軸４１として１９７９年が表示された状態である。
【００３８】
この状態で、ユーザが、表示メニュー選択部３１で、Ｗｅｂサイトで提供される各種の年表から、「Ｓ社の製品の歩み」というタイトルの年表を選択すると、情報処理装置１０で、当該の年表のデータが取得され、ＣＰＵ１１によって、図４に示すように、年表作成領域４０内の時間軸４１に隣接する左側の領域４２に、当該の年表１が配置表示されるとともに、領域４２の上側に、当該の年表１のタイトル、および年表１を閉じるためのボタン４２ｘが表示される。
【００３９】
なお、図４は、年表１（領域４２）の表示幅が、上記のように特に指定されず、年表作成領域４０中の時間軸４１が表示された部分を除く部分の幅の１／３にされた場合である。
【００４０】
年表１は、Ｓ社の製品の歩みを示したもので、図４は、そのうちの１９７９年に発売された１つの代表的な製品を紹介する写真および記述が表示されたものである。
【００４１】
この状態で、ユーザが、表示メニュー選択部３１で、Ｗｅｂサイトで提供される各種の年表から、「日本のＴＶアニメ」というタイトルの年表を選択すると、情報処理装置１０で、当該の年表のデータが取得され、ＣＰＵ１１によって、図５に示すように、年表作成領域４０内の領域４２に隣接する中央の領域４３に、当該の年表２が配置表示されるとともに、領域４３の上側に、当該の年表２のタイトル、および年表２を閉じるためのボタン４３ｘが表示される。
【００４２】
年表２は、日本のＴＶアニメの歴史を示したもので、図５は、そのうちの１９７９年に放送された２つの代表的なアニメを示す画像が表示されたものである。
【００４３】
さらに、この状態で、ユーザが、表示メニュー選択部３１で、Ｗｅｂサイトで提供される各種の年表から、「もりえもん年表」というタイトルの年表を選択すると、情報処理装置１０で、当該の年表のデータが取得され、ＣＰＵ１１によって、図６に示すように、年表作成領域４０内の領域４３に隣接する右側の領域４４に、当該の年表３が配置表示されるとともに、領域４４の上側に、当該の年表３のタイトル、および年表３を閉じるためのボタン４４ｘが表示される。
【００４４】
年表３は、主人公の名前が“もりえもん”という漫画の誕生から現在に至るまでの出版やアニメ化などの履歴を示したもので、図６は、そのうちの１９７９年にあった７つの事項が表示されたものである。
【００４５】
以上によって、年表作成用画面３０の年表作成領域４０に、３つの年表１，２，３が横並びの状態で作成される。
【００４６】
図６の状態では、年表作成領域４０には１９７９年の部分しか表示されないが、年表データとしては、それぞれの取得されたデータが全て、メインメモリ１４上および表示処理部１８内の表示用メモリ上に展開保持され、スクロールボタン４７，４８またはスクロールバー４９の操作によるスクロールによって、１９７８年以前および１９８０年以後の部分が年表作成領域４０に表示される。
【００４７】
図７に、１９８０年の部分が表示された状態を示す。年表１には２つの事項が示され、年表２には１つの事項が示され、年表３には７つの事項が示されているものである。
【００４８】
＜ズームアウトおよびズームイン：図８および図９＞
ユーザが、表示メニュー選択部３１で時間軸を選択する際、時間軸設定部３２で“Ｄｅｃａｄｅ”を指示し、かつ、上記の例と同様に、表示メニュー選択部３１で、「Ｓ社の製品の歩み」というタイトルの年表、「日本のＴＶアニメ」というタイトルの年表、および「もりえもん年表」というタイトルの年表を、順次選択した場合には、ズームアウトとして、図８に示すように、年表作成領域４０に、時間軸４１として１０年単位の年代が表示されるとともに、領域４２に年表１が配置表示され、領域４３に年表２が配置表示され、領域４４に年表３が配置表示されて、横並び状態のマルチ年表が作成される。
【００４９】
ただし、図８は、年表作成領域４０内をスクロールした結果、時間軸４１として１９７０年代が表示され、年表１として、Ｓ社の製品中の１９７０年代に発売された３つの代表的な製品を紹介する写真および記述が表示され、年表２として、日本のＴＶアニメ中の１９７０年代に放送された３つの代表的なアニメを示す画像が表示され、年表３として、漫画“もりえもん”につき１９７０年代にあった幾つかの事項が表示された場合である。
【００５０】
また、ユーザが、表示メニュー選択部３１で時間軸を選択する際、時間軸設定部３２で“Ｍｏｎｔｈ”を指示し、かつ、上記の例と同様に、表示メニュー選択部３１で、「Ｓ社の製品の歩み」というタイトルの年表、「日本のＴＶアニメ」というタイトルの年表、および「もりえもん年表」というタイトルの年表を、順次選択した場合には、ズームインとして、図９に示すように、年表作成領域４０に、時間軸４１として１か月単位が表示されるとともに、領域４２に年表１が配置表示され、領域４３に年表２が配置表示され、領域４４に年表３が配置表示されて、横並び状態のマルチ年表が作成される。
【００５１】
ただし、図９は、年表作成領域４０内をスクロールした結果、時間軸４１として１９７５年１月が表示され、年表１として、Ｓ社の製品中の１９７５年１月に発売された１つの代表的な製品を紹介する写真および記述が表示され、年表２として、日本のＴＶアニメ中の１９７５年１月に放送された１つの代表的なアニメを示す画像が表示され、年表３としては、漫画“もりえもん”につき１９７５年１月にあった事項としては何も表示されない場合である。
【００５２】
（２−２．縦表示・横並びのマルチ年表の編集：図１０）
以上のような縦表示・横並びのマルチ年表については、以下のような編集を行うことができる。
【００５３】
＜マルチ年表の並べ替え＞
第１に、年表作成領域４０に配置された複数の年表を並べ替えることができる。
【００５４】
例えば、図６に示したように、年表作成領域４０内の左側の領域４２に年表１（Ｓ社の製品の歩み）が配置表示され、中央の領域４３に年表２（日本のＴＶアニメ）が配置表示され、右側の領域４４に年表３（もりえもん年表）が配置表示された状態のマルチ年表の、左右の年表１，３を入れ替えて、図１０に示すように、年表作成領域４０内の左側の領域４２に年表３（もりえもん年表）が配置表示され、中央の領域４３に年表２（日本のＴＶアニメ）が配置表示され、右側の領域４４に年表１（Ｓ社の製品の歩み）が配置表示された状態のマルチ年表を作成することができる。
【００５５】
具体的に、この並べ替えは、図６のようにマルチ年表が作成された状態で、ユーザが、ボタン群３７〜３９中の所定のボタンを操作して、プルダウンメニュー方式による「並べ替えモード」を開き、その中から「３つの年表中の左右を入れ替える」を選択することによって、ＣＰＵ１１が実行する。
【００５６】
年表作成領域４０に３つの年表を作成できる場合、「並べ替えモード」としては、そのほか、「３つの年表中の左と中央を入れ替える」、「３つの年表中の中央と右を入れ替える」などのモードが用意され、ＣＰＵ１１は、ユーザによって選択されたモードに応じて年表を入れ替え、複数の年表を並べ替える。
【００５７】
＜年表の入れ替え＞
年表作成領域４０に配置された一部または全部の年表に替えて、別途取得された年表を年表作成領域４０に配置することもできる。
【００５８】
例えば、図６の状態で、ボタン４２ｘを操作して年表１（Ｓ社の製品の歩み）を閉じ、表示メニュー選択部３１で別の年表を選択して、その別の年表を領域４２に配置表示することができる。
【００５９】
＜配置可能な年表数の設定または変更＞
上記の例は、年表作成領域４０に３つの年表を配置できる場合であるが、ユーザが年表作成用画面３０上での操作によって、年表作成領域４０に配置可能な年表の数を、限られた範囲内で任意に設定できるように構成することができる。
【００６０】
また、一旦、このように配置可能な年表数を設定してマルチ年表を作成した後、配置可能な年表数を限られた範囲内で増加または減少させて、マルチ年表中に新たな年表を追加し、またはマルチ年表中の一部の年表を消去できるように構成することもできる。
【００６１】
＜各年表の表示幅の設定または変更＞
例えば、図４〜図６の例で、表示メニュー選択部３１で年表を選択する都度、表示幅指定部３４で表示幅を指定することによって、領域４２，４３，４４の幅、すなわち年表１，２，３の表示幅を、限られた範囲内で任意に設定することができる。
【００６２】
また、一旦、このように各年表の表示幅を設定してマルチ年表を作成した後、各年表の表示幅を限られた範囲内で変更できるようにすることもできる。
【００６３】
＜並びモードの変換＞
マルチ年表の編集として、図６〜図１０のように作成された縦表示・横並びのマルチ年表を、年表作成用画面３０上での操作に応じて、ＣＰＵ１１によって、横表示・縦並びのマルチ年表に、すなわち、年表作成領域４０内において、時間軸が画面横方向に表示され、年表の各事項も画面横方向に配列され、複数の年表が画面縦方向に並べられたマルチ年表に変換できるようにする。
【００６４】
＜その他＞
マルチ年表の作成または編集として、例えば、図５に示したように、年表作成領域４０の領域４２，４３に年表１，２を配置表示し、領域４４には年表を配置表示していない状態で、または、図６に示したように年表１，２，３からなるマルチ年表を作成した後、年表３を閉じた状態で、ユーザの操作に応じて、別のＷｅｂサイトにアクセスすることによって、年表作成用画面３０の一部に重ねて表示する画面上に、別のＷｅｂサイトで提供される各種の年表を呈示し、ユーザがその１つを選択することによって、その選択された年表を領域４４に配置表示して、３つの年表からなるマルチ年表を作成するように構成することもできる。
【００６５】
（２−３．年表作成処理：図１１）
図１１に、以上のようにマルチ年表を作成する場合に情報処理装置１０のＣＰＵ１１が行う年表作成処理の一例を示す。
【００６６】
この例では、各種の年表を提供するＷｅｂサイトにアクセスすることによって、年表作成処理を開始して、まずステップ７１で、ディスプレイ１９上に、図２に示したような年表作成用画面３０を表示する。
【００６７】
次に、ステップ７２で、年表作成処理を終了するか否かを判断し、後述のように年表作成処理を終了するときには、ステップ８１に進んで、終了処理を実行した上で、年表作成処理を終了するが、年表作成処理を終了しないときには、ステップ７３に進んで、処理終了以外の操作がなされたか否かを判断する。
【００６８】
そして、操作がなされなかったときには、ステップ７３からステップ７２に戻るが、操作がなされたときには、ステップ７３からステップ７４に進んで、その操作が表示メニュー選択部３１での表示メニュー選択に係る操作か否かを判断する。
【００６９】
そして、表示メニュー選択に係る操作がなされたときには、ステップ７４からステップ７５に進んで、その操作が時間軸の選択であるか否かを判断し、時間軸の選択であるときには、さらにステップ７６に進んで、時間軸設定部３２での指示に応じて、年表作成領域４０の左辺部に時間軸４１を表示した上で、ステップ７２に戻る。
【００７０】
一方、表示メニュー選択に係る操作ではあるが、時間軸の選択ではないとき、すなわち年表の選択であるときには、ステップ７５からステップ７７に進んで、その選択された年表のデータを取得し、さらにステップ７８に進んで、年表作成領域４０の上記のように区分される各領域中の、年表が配置表示されていない最も時間軸４１寄りの領域に、当該の年表を配置表示した上で、ステップ７２に戻る。
【００７１】
ステップ７４で、表示メニュー選択に係る操作とは異なる、上記のような編集に係る操作を含む操作がなされたと判断したときには、ステップ７９に進んで、上記のような編集処理などの対応処理を実行した上で、ステップ７２に戻る。
【００７２】
図1の例のシステムでは、上記のように作成したマルチ年表を、内部記憶装置１３またはローカルストレージ２５に保存することができるようにする。
【００７３】
この場合、ユーザが年表作成用画面３０を閉じるなどによって年表の作成を終了するときには、ＣＰＵ１１は、ステップ８１で、終了処理として、ユーザに対して作成された年表を保存するか否かを問い、これに対してユーザが保存を指示し、保存先を指定したときには、その作成した年表を、指定された保存先に記録する。
【００７４】
このように内部記憶装置１３またはローカルストレージ２５に記録したマルチ年表は、必要に応じて、内部記憶装置１３またはローカルストレージ２５から呼び出し、ディスプレイ１９上に表示することができるが、その際、ディスプレイ１９上に表示される年表画面は、年表作成用画面３０と同様に、年表作成領域（年表表示領域）に複数の年表が配置表示され、かつ編集操作などのための操作ができるものとして、上記のような編集を行うことができるようにする。
【００７５】
（２−４．横表示・縦並びのマルチ年表の作成および編集：図１２〜図２４）
横表示・縦並びのマルチ年表を作成する場合にも、ユーザは、操作入力部１５での操作によって、Ｗｅｂブラウザを起動させ、上記のＷｅｂサイトにアクセスする。
【００７６】
これによって、ディスプレイ１９上には、例えば、図１２に示すような年表作成用画面５０が表示される。
【００７７】
＜マルチ年表の作成：図１２〜図２１＞
具体的に、図１２の例の年表作成用画面５０は、画面上部に、Ｗｅｂサイトで提供される各種の年表を示すボタン群５１を表示し、その下に、年表作成領域６０を設けたものとする。
【００７８】
年表作成領域６０は、上辺部に、１９８３，１９８４，１９８５というように暦年を示した時間軸６１が表示され、その下側の領域が、画面縦方向に、後述のように２つの年表を配置表示することができる領域６２、ある事項の詳細が配置表示される領域６３、および写真画像が配置表示される領域６４に区分されたものとする。
【００７９】
ボタン群５１の左右には、年表作成領域６０に作成された年表を画面横方向にスクロールするためのボタン５２および５３が設けられ、ボタン群５１の上側には、Ｗｅｂサイトのアドレス（ＵＲＬ）が表示され、そのアドレスの上側には、各種操作のためのボタン群５７，５８および５９が表示される。
【００８０】
ユーザは、ボタン群５１中の所望の年表を示すボタンを順次操作して、所望の年表を順次選択する。
【００８１】
ユーザが最初に、“Ｊａｐａｎｅｓｅ  Ｃｏｍｉｃ”というタイトルの年表を選択すると、情報処理装置１０で、当該の年表のデータが取得され、ＣＰＵ１１によって、図１３に示すように、領域６２中の上部領域に、当該の年表５が配置表示されるとともに、年表作成領域６０の外側において年表５の右側に、年表５のタイトルが表示される。
【００８２】
年表５は、日本におけるコミックの歴史を示したもので、図１３は、そのうちの１９８２年から１９８５年にかけての部分が表示されたものである。
【００８３】
このとき、年表５中のある事項５ａを指示すると、その指示された事項５ａに係る詳細（画像や記述）が、領域６３中に表示される。
【００８４】
この状態で、ボタン５２を操作すると、年表５として、例えば、図１４に示すように、１９７９年から１９８２年にかけての部分が表示されるようになり、ボタン５３を操作すると、年表５として、例えば、図１５に示すように、１９９２年から１９９５年にかけての部分が表示されるようになり、さらにボタン５３を操作すると、年表５として、例えば、図１６に示すように、２０００年から２００２年にかけての部分が表示されるようになる。
【００８５】
図１４、図１５または図１６の状態でも、年表５中の指示された事項５ａに係る詳細が、領域６３中に表示される。
【００８６】
さらに、例えば、図１６の状態で、“Ｗｏｒｌｄ  Ｆｏｏｔｂａｌｌ”というタイトルの年表を選択すると、情報処理装置１０で、当該の年表のデータが取得され、ＣＰＵ１１によって、図１７に示すように、領域６２中の下部領域に、当該の年表６が配置表示されるとともに、年表作成領域６０の外側において年表６の右側に、年表６のタイトルが表示される。
【００８７】
年表６は、世界および日本におけるサッカーの歴史を示したもので、図１７は、そのうちの２０００年から２００２年にかけての部分が表示されたものである。
【００８８】
この状態で、ボタン５３を操作すると、年表５および６として、例えば、図１８に示すように、それぞれ２００１年から２００３年にかけての部分が表示されるようになる。
【００８９】
このとき、年表６中のある事項６ａを指示すると、その指示された事項６ａに係る詳細（画像や記述）が、領域６３中に表示される。
【００９０】
この状態で、ボタン５２を操作すると、年表５および６として、例えば、図１９に示すように、それぞれ１９９７年から１９９９年にかけての部分が表示されるようになり、さらにボタン５２を操作すると、年表５および６として、例えば、図２０に示すように、それぞれ１９９３年から１９９５年にかけての部分が表示されるようになり、さらにボタン５２を操作すると、年表５および６として、例えば、図２１に示すように、それぞれ１９９２年から１９９４年にかけての部分が表示されるようになる。
【００９１】
図１９、図２０または図２１の状態でも、例えば、年表６中の指示された事項６ａに係る詳細が、領域６３中に表示される。
【００９２】
＜マルチ年表の編集：図２２〜図２４＞
以上のような横表示・縦並びのマルチ年表についても、
（ａ）マルチ年表の並べ替え（上記の例では、領域６２中の上部領域に年表６（Ｗｏｒｌｄ  Ｆｏｏｔｂａｌｌ）が配置表示され、下部領域に年表５（Ｊａｐａｎｅｓｅ  Ｃｏｍｉｃ）が配置表示されるように、２つの年表５，６を入れ替える）、
（ｂ）年表の入れ替え（例えば、図２１の状態で、年表５（Ｊａｐａｎｅｓｅ  Ｃｏｍｉｃ）を閉じ、“Ａｃｔｉｏｎ  Ｍｏｖｉｅ”というタイトルの年表を選択して、当該の年表を領域６２中の上部領域に配置表示する）、
（ｃ）配置可能な年表数の設定または変更（上記の例では、領域６２に配置できる年表の数、または年表作成領域６０に配置できる年表の数を、限られた範囲内で設定または変更する）、
（ｄ）各年表の表示幅の設定または変更（上記の例では、領域６２中の上部領域、外部領域、領域６３，６４の表示幅（画面縦方向の幅）を、限られた範囲内で設定または変更する）、
（ｅ）並びモードの変換（横表示・縦並びから縦表示・横並びへの変換）、
を行うことができるように構成することができる。
【００９３】
また、例えば、図２１の状態で、ユーザが、内部記憶装置１３またはローカルストレージ２５に年表を構成する１つのフォルダとして保存されている複数の写真画像ファイルを選択することによって、ＣＰＵ１１が、図２２に示すように、そのフォルダ内の各ファイルの写真画像を１つの年表７として領域６４に配置表示するように構成することができる。
【００９４】
さらに、例えば、図２３に示すように、Ｗｅｂサイトで“Ｊａｐａｎｅｓｅ  Ｓｏｎｇｓ”，“Ｊａｐａｎｅｓｅ  Ｍｏｖｉｅ”，“ＴＶ  Ｄｒａｍａ”というタイトルの年表が提供される場合において、ユーザが最初に“Ｊａｐａｎｅｓｅ  Ｓｏｎｇｓ”というタイトルの年表を選択することによって、上記の例と同様の領域６２中の上部領域に、当該の年表８が配置表示されるとともに、上記の例と同様の領域６３中に、年表８中の指示された事項８ａに係る詳細が表示された状態で、ユーザの操作に応じて、別のＷｅｂサイトにアクセスすることによって、年表作成用画面５０の一部に重ねて表示する画面上に、別のＷｅｂサイトで提供される各種の年表を呈示し、ユーザがその１つを選択することによって、その選択された年表を領域６２中の下部領域に配置表示するように構成することもできる。
【００９５】
図２４は、この場合に、ユーザが“Ｍｏｍｏ  Ｙａｍａｕｃｈｉ”というタイトルの年表を選択し、領域６２中の下部領域に当該の年表９が配置表示されるとともに、領域６３中に年表９中の指示された事項９ａに係る詳細が表示された場合である。ちなみに、“Ｍｏｍｏ  Ｙａｍａｕｃｈｉ”は、年表８（Ｊａｐａｎｅｓｅ  Ｓｏｎｇｓ）にも出現する歌手である。
【００９６】
＜年表作成処理およびマルチ年表の保存＞
横表示・縦並びのマルチ年表を作成する場合に情報処理装置１０のＣＰＵ１１が行う年表作成処理は、以上に示したとおりで、縦表示・横並びのマルチ年表を作成する場合の上述した表示メニュー（時間軸および年表）が年表に置き換えられる点を除いて、図１１に示したものと同じである。
【００９７】
作成されたマルチ年表の保存、および保存後の呼び出し編集についても、縦表示・横並びのマルチ年表の場合と同じである。
【００９８】
［３．他の実施形態］
（３−１．年表の取得）
上述した実施形態は、主として、外部ネットワークとしてのインターネット１００上に存在する年表（年表データ）から、ユーザによって選択された年表を取得し、マルチ年表を作成する場合であるが、ローカルに存在する年表（年表データ）から、ユーザによって選択された年表を取得し、マルチ年表を作成するように構成することもできる。
【００９９】
この場合、図１の例のシステムでは、年表作成用画面で、内部記憶装置１３またはローカルストレージ２５に記録されている各種の年表を呈示し、ユーザに年表を選択させるようにする。
【０１００】
（３−２．コンテンツ）
年表中の事項として音楽や映画などのコンテンツを示す場合、そのコンテンツデータが外部ネットワーク上またはローカルに存在する場合には、ユーザが当該の事項を指示したとき、ＣＰＵ１１が、当該のコンテンツデータを取得し、当該のコンテンツを再生するように構成することができる。
【０１０１】
この場合のコンテンツは、音楽などの音声、映画や写真などの動画または静止画、ゲームソフト、電子書籍などである。
【０１０２】
（３−３．時間軸）
上述した実施形態は、時間軸を年代、暦年または年月を表示するものとして、年表を作成する場合であるが、この発明は、年表に限らず、ある期間に係る事項を時間軸上のそれぞれの事項に対応する期間位置に示したテーブルを作成する場合に適用することができる。
【０１０３】
具体的に、時間軸は、
（ａ）１９世紀、２０世紀、２１世紀などというように世紀を表示したもの、
（ｂ）上記の例のように年代、暦年または年月を表示したもの、
（ｃ）日、時、分または秒の単位まで表示したもの、
（ｄ）その他の期間を示したもの、
とすることができる。
【０１０４】
その他の期間を示した時間軸は、４年に１回などというように定期的に開催されたイベントの開催回、開催時期および開催地を「第１回１９５５年７月フランス、第２回１９５９年６月イギリス、第３回１９６３年７月ドイツ」などというように表示したものや、複数フレームまたは複数サンプルに渡る期間を「第１フレーム、第２フレーム、第３フレーム」または「第１サンプル、第２サンプル、第３サンプル」というように表示したものなどである。
【図面の簡単な説明】
【０１０５】
【図１】この発明のシステムの一例を示す図である。
【図２】縦表示・横並びのマルチ年表を作成する場合の作成用画面の一例を示す図である。
【図３】縦表示・横並びのマルチ年表の作成過程の一例を示す図である。
【図４】縦表示・横並びのマルチ年表の作成過程の一例を示す図である。
【図５】縦表示・横並びのマルチ年表の作成過程の一例を示す図である。
【図６】作成された縦表示・横並びのマルチ年表の一例を示す図である。
【図７】作成された縦表示・横並びのマルチ年表の一例を示す図である。
【図８】作成された縦表示・横並びのマルチ年表の一例を示す図である。
【図９】作成された縦表示・横並びのマルチ年表の一例を示す図である。
【図１０】作成された縦表示・横並びのマルチ年表の並べ替えの一例を示す図である。
【図１１】縦表示・横並びのマルチ年表を作成する場合の作成処理の一例を示す図である。
【図１２】横表示・縦並びのマルチ年表を作成する場合の作成用画面の一例を示す図である。
【図１３】横表示・縦並びのマルチ年表の作成過程の一例を示す図である。
【図１４】横表示・縦並びのマルチ年表の作成過程の一例を示す図である。
【図１５】横表示・縦並びのマルチ年表の作成過程の一例を示す図である。
【図１６】横表示・縦並びのマルチ年表の作成過程の一例を示す図である。
【図１７】作成された横表示・縦並びのマルチ年表の一例を示す図である。
【図１８】作成された横表示・縦並びのマルチ年表の一例を示す図である。
【図１９】作成された横表示・縦並びのマルチ年表の一例を示す図である。
【図２０】作成された横表示・縦並びのマルチ年表の一例を示す図である。
【図２１】作成された横表示・縦並びのマルチ年表の一例を示す図である。
【図２２】写真画像の年表が付加された横表示・縦並びのマルチ年表の一例を示す図である。
【図２３】横表示・縦並びのマルチ年表の作成過程の一例を示す図である。
【図２４】作成された横表示・縦並びのマルチ年表の一例を示す図である。
【符号の説明】
【０１０６】
主要部については図中に全て記述したので、ここでは省略する。
【図１】
2008040815.tif 000003
【図２】
2008040815.tif 000004
【図３】
2008040815.tif 000005
【図４】
2008040815.tif 000006
【図５】
2008040815.tif 000007
【図６】
2008040815.tif 000008
【図７】
2008040815.tif 000009
【図８】
2008040815.tif 000010
【図９】
2008040815.tif 000011
【図１０】
2008040815.tif 000012
【図１１】
2008040815.tif 000013
【図１２】
2008040815.tif 000014
【図１３】
2008040815.tif 000015
【図１４】
2008040815.tif 000016
【図１５】
2008040815.tif 000017
【図１６】
2008040815.tif 000018
【図１７】
2008040815.tif 000019
【図１８】
2008040815.tif 000020
【図１９】
2008040815.tif 000021
【図２０】
2008040815.tif 000022
【図２１】
2008040815.tif 000023
【図２２】
2008040815.tif 000024
【図２３】
2008040815.tif 000025
【図２４】
2008040815.tif 000026